(57)【要約】【課題】通常の車両使用時においては車両のドライバがシフトレバーをパーキング位置に戻さずに降車することを有効に防止しつつ、貨車輸送時に警告動作が継続されることによるバッテリ上がりの問題を回避することができる車両制御システムを提供する。【解決手段】シフト位置がパーキング以外の位置で車両のエンジンが停止したときに、車載機２が、センターコンソール付近に２つの携帯機１が存在するか否かを判定し、センターコンソール付近に２つの携帯機１が存在する場合には、警告表示部２７による警告を停止させる。【選択図】図３
2009248628.tif 000002
【特許請求の範囲】
【請求項１】
車内に携帯機が存在することを車載機が検知して車両のエンジン始動を許可するとともに、シフト位置がパーキング以外の位置で車両のエンジンが停止した場合に前記車載機が警告を行う車両制御システムにおいて、
前記車載機が、シフト位置がパーキング以外の位置で車両のエンジンが停止したときに、車内の所定位置に複数の携帯機が存在するか否かを判定し、車内の所定位置に複数の携帯機が存在する場合には前記警告動作を停止することを特徴とする車両制御システム。
【請求項２】
前記車載機は、前記所定位置の近傍に設置されたアンテナからの信号出力強度を調整することで、携帯機の検知エリアを前記所定位置に限定して、前記所定位置に複数の携帯機が存在するか否かを判定することを特徴とする請求項１に記載の車両制御システム。
【請求項３】
前記車載機は、前記所定位置に１つの携帯機のみが存在すると判定した場合には、所定の監視時間の間、前記警告動作を行いながらエンジン再始動の操作がなされるか否かを監視し、エンジン再始動の操作がないまま前記監視時間が経過したときに、前記警告動作を停止することを特徴とする請求項１又は２に記載の車両制御システム。
【発明の詳細な説明】
【技術分野】
【０００１】
本発明は、車内に携帯機が存在することを車載機が検知して車両のエンジン始動を許可するとともに、シフト位置がパーキング以外の位置で車両のエンジンが停止した場合に車載機が警告を行う車両制御システムに関する。
【背景技術】
【０００２】
従来、車両に搭載された車載機とユーザが携帯する携帯機との間で無線通信を行って、携帯機から送信された識別情報を用いて車載機が認証処理を行い、正規のユーザと認識された場合に車両ドアのロック／アンロックやエンジン始動などの所定の動作を許可する車両制御システムが知られている。また、この種の車両制御システムとしては、車両のドライバがシフトレバーをパーキング位置に戻さずに降車することを防止するために、シフトレバーがパーキング以外の位置にある状態でドライバが降車しようとする状況を検知したときに警告動作を行うものも知られている（例えば、特許文献１参照。）。
【特許文献１】特開平１１−２８０３１６号公報
【発明の開示】
【発明が解決しようとする課題】
【０００３】
ところで、車両を貨車輸送する際には、オートマチックトランスミッションのパーキングロック機構を保護するために、シフトレバーをニュートラルの位置にして輸送することが行われる。このため、特許文献１に記載されている車両制御システムを搭載した車両では、輸送中に警告動作が継続的に行われてバッテリ上がりを招いてしまう懸念がある。
【０００４】
本発明は、以上の問題点を解決すべく創案されたものであって、通常の車両使用時においては車両のドライバがシフトレバーをパーキング位置に戻さずに降車することを有効に防止しつつ、貨車輸送時に警告動作が継続されることによるバッテリ上がりの問題を回避することができる車両制御システムを提供することを目的としている。
【課題を解決するための手段】
【０００５】
本発明は、シフト位置がパーキング以外の位置で車両のエンジンが停止したときに、車載機が、車内の所定位置に複数の携帯機が存在するか否かを判定して、車内の所定位置に複数の携帯機が存在する場合には警告動作を停止することにより、上述した課題を解決する。
【発明の効果】
【０００６】
本発明によれば、シフト位置がパーキング以外の位置で車両のエンジンが停止した場合であっても、車内の所定位置に複数の携帯機が存在する場合には警告動作が停止されるので、通常の車両使用時においては車両のドライバがシフトレバーをパーキング位置に戻さずに降車することを有効に防止しつつ、貨車輸送時には警告動作が継続されることによるバッテリ上がりの問題を有効に回避することができる。
【発明を実施するための最良の形態】
【０００７】
以下、本発明の実施の形態について、図面を参照しながら説明する。
【０００８】
［第１の実施形態］
図１は、本発明を適用した車両制御システムの構成を示すブロック図である。この車両制御システムは、車両のドライバが携帯可能な携帯機１と、車両に搭載された車載機２との間で無線通信を行い、車載機２が正規の携帯機１を車内で検知した場合に車両のエンジン始動を許可するものである。また、この車両制御システムは、シフト位置がパーキング以外の位置で車両のエンジンが停止したときに、車載機２がシフトレバーをパーキング位置に戻すことを車両のドライバに促すための警告動作を行う機能も備えている。なお、図１においては１つの携帯機１のみを図示しているが、この車載制御システムが搭載された車両が貨車輸送される際には、２つの携帯機１が車内のセンターコンソールに設けられたコンソールボックス内に収納される。
【０００９】
携帯機１は、いわゆる電子キーとして構成されるものであり、車載機２からのリクエスト信号に応じて当該携帯機１の識別情報を送信する。具体的には、この携帯機１は、マイクロコンピュータ等を用いて実現される制御部１０を備え、この制御部１０にＬＦ受信部１１とＲＦ送信部１２とが接続されている。ＬＦ受信部１１は、後述するように、車載機２から出力されるリクエスト信号を含むＬＦ帯の電波を受信アンテナ１１Ａにて受信し、このＬＦ電波からリクエスト信号を取り出して制御部１０に供給する。制御部１０は、ＬＦ受信部１１からリクエスト信号が供給されると、ＲＦ送信部１２を起動するとともに、内部の不揮発性メモリなどに保持している当該携帯機１の識別情報を読み出して、この携帯機１の識別情報をＲＦ送信部１２に供給する。ＲＦ送信部１２は、制御部１０から携帯機１の識別情報が供給されると、この携帯機１の識別情報をＲＦ帯の電波に重畳して送信アンテナ１２Ａから出力する。
【００１０】
車載機２は、ＥＣＵ（電子制御装置）などを用いて実現される制御部２０を中心として、この制御部２０に、ＬＦ送信部２１、ＲＦ受信部２２、エンジン始動スイッチ２３、ブレーキ検知スイッチ２４、エンジン制御部２５、シフト位置センサ２６、警告表示部２７がそれぞれ接続されて構成される。
【００１１】
ＬＦ送信部２１は、制御部２０による制御に従って、携帯機１に対して識別情報の送信を要求するためのリクエスト信号を重畳したＬＦ帯の電波を、車内送信用アンテナ２１Ａ，２１Ｂから車内の所定の検知エリアに出力する。ここで、車内送信用アンテナ２１Ａは、図２に示すように、車内のセンターコンソール近傍に設置されており、この車内送信用アンテナ２１Ａからは、車内の前席側の検知エリアＡ１に対してリクエスト信号を重畳したＬＦ電波が出力される。一方、車内送信用アンテナ２１Ｂは車内の後部座席側に設置されており、この車内送信用アンテナ２１Ｂからは、車内の後部座席側の検知エリアＡ２に対してリクエスト信号を重畳したＬＦ電波が出力される。
【００１２】
ＲＦ受信部２２は、リクエスト信号の応答として携帯機１から出力される識別情報を含むＲＦ帯の電波を車内受信用アンテナ２２Ａにて受信し、このＲＦ電波から携帯機１の識別情報を取り出して制御部２０に供給する。ここで、車内受信用アンテナ２２Ａは、例えばルームミラーに内蔵されており、携帯機１が前席側の検知エリアＡ１と後部座席側の検知エリアＡ２のいずれに存在しているときでも、携帯機１からのＲＦ電波を十分に受信可能なアンテナ感度が確保されている。
【００１３】
エンジン始動スイッチ２３は、車内の運転席近傍に設置されてドライバにより押圧操作されるプッシュスイッチであり、ドライバに押圧操作されることに応じて制御部２０に対して操作信号を出力する。
【００１４】
ブレーキ検知スイッチ２４は、車両のドライバによるブレーキペダルの操作を検知するスイッチである。ドライバがブレーキペダルを操作すると、そのブレーキ操作がブレーキ検知スイッチ２４により検知され、制御部１０に対して検知信号が出力される。
【００１５】
エンジン制御部２５は、制御部２０からの制御指令に従って、車両のエンジン始動・停止を制御する。すなわち、このエンジン制御部２５は、制御部２０からエンジン始動を指示する制御指令が入力されると、図示しないセルモータを駆動してエンジンを始動させ、制御部２０からエンジン停止を指示する制御指令が入力されると、エンジンの作動を停止させる。
【００１６】
シフト位置センサ２６は、車両のシフトレバーの位置を検知してその検知信号を制御部２０に対して出力する。制御部２０は、このシフト位置センサ２６からの検知信号により、車両のシフト位置を認識できるようになっている。
【００１７】
警告表示部２７は、制御部２０による制御に従って、車両のシフト位置がパーキング以外の位置で車両のエンジンが停止した場合に、車両のドライバに対してシフト位置をパーキングに戻すことを促す警告を表示する。
【００１８】
以上のように構成される車載機２は、車両のエンジン停止中にドライバよってブレーキペダルが踏まれた状態でエンジン始動スイッチ２３が押圧操作されたときに、車内に正規の携帯機１が存在するか否かを判断し、車内に正規の携帯機１が存在する場合に車両のエンジン始動を許可する。すなわち、車両のエンジン停止中にドライバよってブレーキペダルが踏まれた状態でエンジン始動スイッチ２３が押圧操作されると、制御部２０に、ブレーキ検知スイッチ２４からの検知信号と、エンジン始動スイッチ２３からの操作信号とが入力される。制御部２０は、車両のエンジン停止中にこれらの信号が入力されると、ＬＦ送信部２１を起動するとともに、このＬＦ送信部２１に、携帯機１に対して識別情報の送信を要求するためのリクエスト信号を供給する。ＬＦ送信部２１は、制御部２０からリクエスト信号が送られてくると、このリクエスト信号をＬＦ帯の電波に重畳して、車内送信用アンテナ２１Ａ，２１Ｂから車内の所定の検知エリアＡ１，Ａ２に出力する。
【００１９】
このとき、車内の所定の検知エリアＡ１，Ａ２に携帯機１が存在すれば、この携帯機１によりリクエスト信号が受信され、その応答として、携帯機１から当該携帯機１の識別情報を重畳したＲＦ電波が出力される。そして、この携帯機１から出力されたＲＦ電波は、ＲＦ受信部２２により受信される。ＲＦ受信部２２は、携帯機１から出力されたＲＦ電波を受信すると、このＲＦ電波から携帯機１の識別情報を取り出して制御部２０に供給する。そして、制御部２０は、リクエスト信号の応答として携帯機１から送られてきた識別情報を、内部の不揮発性メモリなどに予め保持している正規の携帯機の識別情報と照合し、識別情報が一致する場合に、車内の所定の検知エリアＡ１，Ａ２に存在する携帯機１は正規の携帯機であると判断して、エンジン制御部２５に対してエンジン始動を指示する制御指令を出力する。これにより、エンジン制御部２５によりセルモータが駆動され、車両のエンジンが始動する。
【００２０】
また、車載機２は、車両のシフト位置がパーキング以外の位置で車両のエンジンが停止したときに、車載機２がシフトレバーをパーキング位置に戻すことを車両のドライバに促すための警告動作を行う。すなわち、車両のエンジン作動中にドライバよってブレーキペダルが踏まれた状態でエンジン始動スイッチ２３が押圧操作されると、制御部２０に、ブレーキ検知スイッチ２４からの検知信号と、エンジン始動スイッチ２３からの操作信号とが入力される。制御部２０は、車両のエンジン作動中にこれらの信号が入力されると、エンジン制御部２５に対してエンジン停止を指示する制御指令を出力して、車両のエンジンを停止させる。また、このとき制御部２０は、シフト位置センサ２６からの検知信号を入力し、シフト位置がパーキング位置にあるかどうかを判断する。そして、シフト位置がパーキング以外の位置にある場合には、警告表示部２７を作動させて、シフトレバーをパーキング位置に戻すことを車両のドライバに促すための警告を表示させる。
【００２１】
この警告表示部２７による警告は、車両のドライバがシフトレバーをパーキング位置に戻さずに降車することを防止して、車両が不安定な状態で停車しないようにする上で非常に有効である。しかしながら、車両を貨車輸送する際には、オートマチックトランスミッションのパーキングロック機構の保護などの観点から、シフトレバーをニュートラルの位置にして輸送することが行われるため、輸送中に警告表示部２７による警告が継続的に行われることで車両のバッテリ上がりを招いてしまう懸念がある。
【００２２】
このため、車両を貨物輸送する際には、警告表示部２７による警告を停止させることが望まれる。そこで、本実施形態の車両制御システムにおいては、車両の貨車輸送時には２つの携帯機１が車内のセンターコンソールに設けられたコンソールボックス内に収納される点に着目し、シフト位置がパーキング以外の位置で車両のエンジンが停止したときに、車載機２が、センターコンソール付近に２つの携帯機１が存在するか否かを判定し、センターコンソール付近に２つの携帯機１が存在する場合には、警告表示部２７による警告を停止させるようにしている。
【００２３】
図３は、本実施形態の車両制御システムにおいて、車両のエンジン停止時に車載機２により実施される処理の一例を示すフローチャートである。以下、この図３のフローチャートに沿って、本実施形態の車両制御システムにおいて特徴的なエンジン停止時における車載機２の動作について説明する。
【００２４】
車両のエンジンが停止すると、まず、制御部２０が、シフト位置センサ２６からの検知信号を入力して（ステップＳ１０１）、車両のシフト位置がパーキング位置になっているかどうかを確認する（ステップＳ１０２）。そして、車両のシフト位置がパーキング以外の位置であれば、警告表示部２７を作動させて、この警告表示部２７による警告表示を開始させる（ステップＳ１０３）。一方、車両のシフト位置がパーキング位置になっていれば、そのまま処理を終了する。
【００２５】
次に、制御部２０は、ＬＦ送信部２１を起動するとともにその動作を制御して、車内のセンターコンソール近傍に設置された車内送信用アンテナ２１Ａのみから、リクエスト信号を重畳したＬＦ電波を出力させる。このとき、ＬＦ送信部２１は、制御部２０の制御に従って車内送信用アンテナ２１Ａからの信号出力強度、つまり、車内送信用アンテナ２１Ａから出力するＬＦ電波の電波強度を調整することで、図２に示した前席側の検知エリアＡ１を、図４に示すようにセンターコンソール付近に絞り込んで、このセンターコンソール付近の検知エリアＡ３のみにＬＦ電波が出力されるようにする（ステップＳ１０４）。
【００２６】
そして、制御部２０は、このリクエスト信号の応答として、２つの携帯機１からの識別情報を含むＲＦ信号をＲＦ受信部２２にて受信したか否かにより、センターコンソール付近の検知エリアＡ３に２つの携帯機１が存在するか否かを判定する（ステップＳ１０５）。そして、センターコンソール付近に２つの携帯機１が存在すると判定した場合には、警告表示部２７による警告表示を停止させて（ステップＳ１０６）、一連の処理を終了する。一方、センターコンソール付近に２つの携帯機１が存在しないと判定した場合には、警告表示部２７による警告表示を継続させたまま、一連の処理を終了する。
【００２７】
以上、具体的な例を挙げながら説明したように、本実施形態の車両制御システムによれば、シフト位置がパーキング以外の位置で車両のエンジンが停止したときに、車載機２が、センターコンソール付近に２つの携帯機１が存在するか否かを判定し、センターコンソール付近に２つの携帯機１が存在する場合には、警告表示部２７による警告を停止させるようにしている。したがって、車両の貨車輸送時に、２つの携帯機１をセンターコンソールのコンソールボックス内に収納した状態で、シフト位置をパーキング以外の位置にしてエンジンを停止した場合には、警告表示部２７による警告表示が停止されるので、通常の車両使用時においては車両のドライバがシフトレバーをパーキング位置に戻さずに降車することを有効に防止しつつ、貨車輸送時には警告動作が継続されることによるバッテリ上がりの問題を有効に回避することができる。
【００２８】
また、この車両制御システムによれば、センターコンソール付近に２つの携帯機１が存在するか否かを判定する際に、車載機２が、ＬＦ送信部２１のセンターコンソール近傍に設置された車内送信用アンテナ２１Ａからの信号出力強度を調整して、携帯機１の検知エリアをセンターコンソール付近に絞り込むようにしているので、センターコンソール付近に存在する携帯機１を確実に検知することができ、高精度の判定を行うことができる。
【００２９】
［第２の実施形態］
次に、本発明を適用した車両制御システムの第２の実施形態について説明する。本実施形態の車両制御システムは、上述した第１の実施形態の変形例であり、センターコンソール付近に１つの携帯機１のみが存在すると判定した場合に、警告表示部２７による警告表示を行いながらエンジンの再始動の操作がなされるか否かを監視し、エンジン再始動の操作がなされないまま所定の監視時間が経過したときに、警告表示部２７による警告表示を停止させるようにしたものである。なお、車両制御システムの構成および動作の基本部分は上述した第１の実施形態と同様であるので、以下、第１の実施形態と同様の部分については重複する説明を省略し、本実施形態に特徴的な部分についてのみ説明する。
【００３０】
図５は、本実施形態の車両制御システムにおいて、車両のエンジン停止時に車載機２により実施される処理の一例を示すフローチャートである。
【００３１】
この図５におけるステップＳ２０１〜Ｓ２０３の処理は、図３に示した第１の実施形態のフローにおけるステップＳ１０１〜Ｓ１０３と同じである。すなわち、本実施形態においても、車両のエンジンが停止すると、まず、制御部２０が、シフト位置センサ２６からの検知信号を入力して（ステップＳ２０１）、車両のシフト位置がパーキング位置になっているかどうかを確認する（ステップＳ２０２）。そして、車両のシフト位置がパーキング以外の位置であれば、警告表示部２７を作動させて、この警告表示部２７による警告表示を開始させる（ステップＳ２０３）。一方、車両のシフト位置がパーキング位置になっていれば、そのまま処理を終了する。
【００３２】
次に、本実施形態では、制御部２０がＬＦ送信部２１を起動するとともにその動作を制御して、車内のセンターコンソール近傍に設置された車内送信用アンテナ２１Ａと、車内の後部座席側に設置された車内送信用アンテナ２１Ｂとの双方から、前席側の検知エリアＡ１および後部座席側の検知エリアＡ２にリクエスト信号を重畳したＬＦ電波を出力させる（ステップＳ２０４）。そして、制御部２０は、このリクエスト信号の応答として、２つの携帯機１からの識別情報を含むＲＦ信号をＲＦ受信部２２にて受信したか否かにより、車内に２つの携帯機１が存在するか否かを判定する（ステップＳ２０５）。ここで、車内に２つの携帯機１が存在しないと判定した場合は、警告表示部２７による警告表示を継続させたまま、一連の処理を終了する。
【００３３】
一方、車内に２つの携帯機１が存在すると判定した場合には、制御部２０は、ＬＦ送信部２１の動作を制御して、前席側の検知エリアＡ１を第１の実施形態で説明したようにセンターコンソール付近の検知エリアＡ３に絞り込んで、車内送信用アンテナ２１Ａからこのセンターコンソール付近の検知エリアＡ３のみに、リクエスト信号を重畳したＬＦ電波が出力させるようにする（ステップＳ２０６）。そして、制御部２０は、このリクエスト信号の応答として、２つの携帯機１からの識別情報を含むＲＦ信号をＲＦ受信部２２にて受信したか否かにより、センターコンソール付近の検知エリアＡ３に２つの携帯機１が存在するか否かを判定する（ステップＳ２０７）。ここで、センターコンソール付近に２つの携帯機１が存在すると判定した場合には、ステップＳ２１１に処理を移行して、警告表示部２７による警告表示を停止させ、一連の処理を終了する。
【００３４】
一方、センターコンソール付近に２つの携帯機１が存在しないと判定した場合には、次に、センターコンソール付近に１つの携帯機１が存在するか否かを判定し（ステップＳ２０８）、センターコンソール付近に携帯機１が１つも存在しないと判定した場合には、警告表示部２７による警告表示を継続させたまま、一連の処理を終了する。一方、センターコンソール付近に１つの携帯機１のみが存在すると判定した場合には、所定の監視時間の間に車両のドライバによりエンジンを再始動させる操作がなされたか否かを監視して（ステップＳ２０９、ステップＳ２１０）、エンジン再始動の操作がなされることなく所定の監視時間が経過したときに（ステップＳ２１０でＹＥＳ）、ステップＳ２１１に処理を移行して警告表示部２７による警告表示を停止させ、一連の処理を終了する。
【００３５】
以上、具体的な例を挙げながら説明したように、本実施形態の車両制御システムによれば、センターコンソール付近に１つの携帯機１のみが存在すると判定した場合に、警告表示部２７による警告表示を行いながらエンジンの再始動の操作がなされるか否かを監視し、エンジン再始動の操作がなされないまま所定の監視時間が経過したときに、警告表示部２７による警告表示を停止させるようにしている。したがって、車両の貨車輸送時に、センターコンソールのコンソールボックス内には１つの携帯機１のみを収納し、もう１つの携帯機１を車内の離れた位置においた状態で、シフト位置をパーキング以外の位置にしてエンジンを停止した場合であっても、警告表示部２７による警告表示が停止させることができ、貨車輸送時に警告動作が継続されることによるバッテリ上がりの問題をより有効に回避することができる。
【００３６】
なお、以上説明した第１および第２の実施形態は、本発明の一適用例を例示したものであり、本発明の技術的範囲が以上の各実施形態で説明した内容に限定されることを意図するものではない。つまり、本発明の技術的範囲は、以上の各実施形態で開示した具体的な技術事項に限らず、この開示から容易に導きうる様々な変形、変更、代替技術なども含むものである。
【００３７】
例えば、上述した第１および第２の実施形態では、センターコンソール付近に２つの携帯機１が存在するか否かを判定する際に、車載機２が、ＬＦ送信部２１のセンターコンソール近傍に設置された車内送信用アンテナ２１Ａからの信号出力強度を調整して、携帯機１の検知エリアをセンターコンソール付近に絞り込むようにしているが、これに代えて、例えば、ＲＦ受信部２２が受信した携帯機１からのＲＦ電波の強度やリクエスト信号に対する応答速度などに基づいて携帯機１の位置を推定し、その携帯機１の位置の推定結果をもとに、センターコンソール付近に２つの携帯機１が存在するか否かを判定するようにしてもよい。
【００３８】
また、上述した第１および第２の実施形態では、車両の貨車輸送時に２つの携帯機１が車内のセンターコンソールに設けられたコンソールボックス内に収納されることを前提としたが、車両の貨車輸送時に車内の別の場所に２つの携帯機１を収納するようにした場合であっても、例えばリクエスト信号を重畳する電波に指向性を持たせて、これら２つの携帯機１が収納された場所を検知エリアに設定できるようにすれば、上述した例と同様に、車両の貨車輸送時であるかどうかの判断が可能である。
【００３９】
また、上述した第１および第２の実施形態では、車載機２の警告動作として警告表示部２７による警告表示を行う例を例示したが、この警告表示に代えて、あるいは警告表示とともに、ブザーの鳴動などの音声による警告を行うようにしてもよい。
【図面の簡単な説明】
【００４０】
【図１】本発明を適用した車両制御システムの構成を示すブロック図である。
【図２】車内送信用アンテナおよび車内受信用アンテナの配置と検知エリアの位置を説明する図である。
【図３】第１の実施形態の車両制御システムにおいて、車両のエンジン停止時に車載機により実施される処理の一例を示すフローチャートである。
【図４】前席側の検知エリアをセンターコンソール付近に絞り込んだ様子を示す図である。
【図５】第２の実施形態の車両制御システムにおいて、車両のエンジン停止時に車載機により実施される処理の一例を示すフローチャートである。
【符号の説明】
【００４１】
１  携帯機
２  車載機
２０  制御部
２１  ＬＦ送信部
２１Ａ，２１Ｂ  車内送信用アンテナ
２２  ＲＦ受信部
２２Ａ  車内受信用アンテナ
２３  エンジン始動スイッチ
２４  ブレーキ検知スイッチ
２５  エンジン制御部
２６  シフト位置センサ
２７  警告表示部
【図１】
2009248628.tif 000003
【図２】
2009248628.tif 000004
【図３】
2009248628.tif 000005
【図４】
2009248628.tif 000006
【図５】
2009248628.tif 000007